(57)【要約】【課題】液晶表示パネルのモアレ縞の発生を防止でき、且つ、均一な出射光輝度の面状照明を可能にする。【解決手段】導光板４の裏面７側には、導光板４の入射面５にほぼ直交する方向に延びるプリズム状の突起１８を入射面５に沿って多数形成してある。また、光制御部材１１には、導光板４の入射面５に対して傾斜角θで斜めの方向に延びる突起１５を多数形成してある。そして、導光板４の入射面５には、出射面１０の法線方向から見た平面形状が、少なくとも、曲率半径Ｒ１の小さな第１の辺１３と、この第１の辺１３よりも曲率半径Ｒ２が大きな第２の辺１４と、からなる滑らかな曲線形状の光制御凸部１２を形成してある。光制御部材１１の突起１５が右肩上がりの方向に傾斜している場合に、光制御凸部１２の第１の辺１３が左側に位置し、光制御凸部１２の第２の辺１４が右側に位置する。【選択図】図１
2006156279.tif 000002
【特許請求の範囲】
【請求項１】
光源からの光が導光板の側面から入射して前記導光板内を伝播し、この伝播の過程において前記導光板の出射面から出射する光を前記導光板の前記出射面に対向するように配置した光制御部材で前記導光板の前記出射面の法線方向寄りに偏向し、その偏向した光で被照明部材を照明するようになっている面光源装置において、
前記導光板は、前記出射面から出射する光が所望の指向性をもって出射するように、内部を伝播する光に指向出射性を付与する指向出射性付与手段を備え、
前記光制御部材には、前記導光板の前記側面に対して斜めの方向に延びる断面略三角形状のプリズム状突起を多数形成し、
前記導光板の前記側面には、光制御凸部を複数形成してあり、
前記光制御凸部は、前記出射面の法線方向から見た平面形状として、少なくとも、第１と第２の２つの辺を有し、
前記光制御部材の前記突起が前記導光板の前記側面と直交する両側面の一方側から他方側に向かうにしたがって前記側面から離間する構成の場合に、前記２つの辺は、前記出射面に平行な面内における前記導光板に入射した後の光の広がり角が、前記両側面と平行な方向を基準にして相対的に、前記一方側よりも前記他方側に広くなるような状態に形成され、
前記光制御凸部が有する前記２つの辺のうち、前記他方側へ光を広げる効果を有する前記第１の辺が、前記光制御凸部の前記一方側に位置し、前記一方側へ光を広げる効果を有する前記第２の辺が、前記光制御凸部の前記他方側に位置するようになっていることを特徴とする面光源装置。
【請求項２】
前記第１の辺と前記第２の辺は、曲率半径の異なる曲線となっていることを特徴とする請求項１に記載の面光源装置。
【請求項３】
前記第１の辺と前記第２の辺は、傾斜角が異なる直線となっていることを特徴とする請求項１に記載の面光源装置。
【請求項４】
前記第１の辺と前記第２の辺は、どちらか一方が直線、他方が曲線となっていることを特徴とする請求項１に記載の面光源装置。
【請求項５】
請求項１乃至４のいずれかに記載の面光源装置と、この面光源装置によって照明される被照明部材と、を備えたことを特徴とする表示装置。
【発明の詳細な説明】
【技術分野】
【０００１】
この本発明は、携帯型電話機、携帯型電子端末装置、カーナビゲーション装置、パーソナルコンピュータ、ビデオカメラ、デジタルカメラ、電子手帳、液晶テレビ等において、液晶表示パネルや広告プレート等の被照明部材を裏面側から面状に照明するバックライト等として使用される面光源装置、及びこの面光源装置を備えた表示装置に関するものである。
【背景技術】
【０００２】
従来から、図１４に示すように、パソコン等の液晶表示パネル（画像表示部材）１０３を背面側から面状に照明する面光源装置１０２は、導光板１０４の出射面１１０と液晶表示パネル１０３との間に光制御部材１１１を配置し、導光板１０４から出射した光を光制御部材１１１を透過させることにより、光の進行方向を光制御部材１１１によって導光板１０４の出射面１１０の法線方向（Ｚ方向）寄りに偏向して、液晶表示パネル１０３を効率的に照明できるようにし、液晶表示パネル１０３の表示面の明るさを増大するようになっている。
【０００３】
すなわち、このような面光源装置は、導光板１０４の裏面１０７側に形成された断面略三角形状のプリズム状の突起１１８であって、入射面１０５に直交する方向（Ｙ方向）に延びる突起１１８が、導光板１０４の入射面１０５に平行で且つ導光板１０４の出射面１１０に直交する仮想平面内において、導光板１０４の内部を伝播するＬＥＤ１０６からの光を導光板１０４の出射面１１０の法線方向寄りに偏向するようになっている。次いで、光制御部材１１１の裏面側に形成された断面略三角形状のプリズム状の突起１１５であって、導光板１０４の入射面１０５にほぼ平行な方向（Ｘ方向）に延びる突起１１５が、導光板１０４の入射面１０５に直交し且つ導光板１０４の出射面１１０に直交する仮想平面内において、導光板１０４の出射面１１０から出射した光を導光板１０４の法線方向に偏向して透過させるようになっている。その結果、液晶表示パネル１０３は、面光源装置１０２から出射する光によって効率的に照明されるようになっている。
【０００４】
しかし、このような面光源装置１０２を使用して液晶表示パネル１０３を背面側から照明すると、上述のように液晶表示パネル１０３の表示面の明るさを増大することができるものの、液晶表示パネル１０３の表示面にモアレ模様のような縞模様が生じ、液晶表示パネル１０３の表示画像が見にくくなるという問題を生じることが知られていた。
【０００５】
そこで、本願出願人は、図１５に示すように、光制御部材１１１のプリズム状の突起１１５を導光板１０４の入射面１０５に対して傾ける（例えば、傾斜角θだけ傾ける）ように構成し、液晶表示パネル１０３の表示面上にモアレ縞のような縞模様が生じるのを防止し得る面光源装置１０２を既に案出している（特許文献１）。
【０００６】
また、図１６に示す面光源装置２０２は、導光板２０４の入射面２０５の厚み方向に延びる突起２１２又は溝２２４をその平面形状（導光板２０４の出射面２１０の法線方向から見た形状）が、入射面２０５の法線方向に対して左右対称となる形状で複数形成し、ＬＥＤ２０６からの光を突起２１２又は溝２２４を介して導光板２０４の内部に入射させることにより、ＬＥＤ２０６からの光が導光板２０４内に入射した角度（光の拡がり角度）が、入射面２０５が鏡面である場合の光の拡がり角度よりも大きくなり、これにより導光板２０４の入射面２０５近傍の出射面２１０に生じる略三角形状の暗部（斜線で示す領域）の面積を減少させて、導光板２０４の有効発光領域を増大させるとともに、出射面２１０から出射する照明光の輝度の均一化を図るようになっている（特許文献２参照）。
【０００７】
【特許文献１】実開平５−２５４２６号公報
【特許文献２】特開２００２−１９６１５１号公報
【発明の開示】
【発明が解決しようとする課題】
【０００８】
しかしながら、図１６に示すような導光板２０４の入射面２０５の突起２１２又は溝２２４を、図１５に示すような面光源装置１０２の導光板１０４に適用した場合には、図１５に示す光制御部材１１１のプリズム状の突起１１５が導光板１０４の入射面１０５に対して傾けて形成されていることでモアレ縞の発生は低減されているものの、図１６に示すように、入射面２０５の近傍において略扇形形状に入射する光の右側端部Ｌ１と左側端部Ｌ２では明るさが相違し、出射光輝度の均一化を図ることが困難であるという問題があった。
【０００９】
そこで、本発明は、被照明部材を照明するための照明光の輝度をより一層均一化することができるようにすることを目的とする。
【課題を解決するための手段】
【００１０】
請求項１の発明は、光源からの光が導光板の側面から入射して前記導光板内を伝播し、この伝播の過程において前記導光板の出射面から出射する光を前記導光板の前記出射面に対向するように配置した光制御部材で前記導光板の前記出射面の法線方向寄りに偏向し、その偏向した光で被照明部材を照明するようになっている面光源装置に関するものである。この面光源装置において、前記導光板は、前記出射面から出射する光が所望の指向性をもって出射するように、内部を伝播する光に指向出射性を付与する指向出射性付与手段を備えている。そして、前記光制御部材には、前記導光板の前記側面に対して斜めの方向に延びる断面略三角形状のプリズム状突起を多数形成してある。また、前記導光板の前記側面には、光制御凸部を複数形成してある。この光制御凸部は、前記出射面の法線方向から見た平面形状として、少なくとも、第１と第２の２つの辺を有している。そして、前記光制御部材の前記突起が前記導光板の前記側面と直交する両側面の一方側から他方側に向かうにしたがって前記側面から離間する構成の場合に、前記２つの辺は、前記出射面に平行な面内における前記導光板に入射した後の光の広がり角が、前記両側面と平行な方向を基準にして相対的に、前記一方側よりも前記他方側に広くなるような状態に形成されている。また、前記光制御凸部が有する前記２つの辺のうち、前記他方側へ光を広げる効果を有する前記第１の辺が、前記光制御凸部の前記一方側に位置し、前記一方側へ光を広げる効果を有する前記第２の辺が、前記光制御凸部の前記他方側に位置するようになっている。
【００１１】
請求項２の発明は、請求項１の発明に係る面光源装置の前記第１の辺と前記第２の辺に特徴を有している。すなわち、前記第１の辺と前記第２の辺は、曲率半径の異なる曲線となっている。
【００１２】
請求項３の発明は、請求項１の発明に係る面光源装置の前記第１の辺と前記第２の辺に特徴を有している。すなわち、前記第１の辺と前記第２の辺は、傾斜角が異なる直線となっている。
【００１３】
請求項４の発明は、請求項１の発明に係る面光源装置の前記第１の辺と前記第２の辺に特徴を有している。すなわち、前記第１の辺と前記第２の辺は、どちらか一方が直線、他方が曲線となっている。
【００１４】
請求項５の発明は、表示装置に関するものであり、請求項１乃至４のいずれかの発明に係る面光源装置と、この面光源装置によって照明される被照明部材と、を備えたことを特徴としている。
【発明の効果】
【００１５】
本発明によれば、液晶表示パネルを照明する場合に、液晶表示パネルの画像表示面にモアレ模様が生じるのを効果的に防止できることはもちろんのこと、面光源装置として、その有効発光領域を増加させるとともに出射光輝度の均一化を図ることができ、良好な照明光を得ることができる。
【発明を実施するための最良の形態】
【００１６】
以下、本発明の最良の形態を図面に基づき詳述する。
【００１７】
［面光源装置及びこれを備えた画像表示装置の構成］
図１乃至図３は、本実施の形態に係る画像表示装置１を示すものである。この画像表示装置１は、面光源装置２によって液晶表示パネル（被照明部材）３を面状に照明するようになっている。
【００１８】
面光源装置２は、導光板４と、この導光板４の入射面（側面）５に対向するように複数配置された光源としてのＬＥＤ（発光ダイオード）６と、導光板４の裏面７側に配置された光反射部材８と、導光板４の出射面１０に対向するように配置された光制御部材１１と、を備えている。
【００１９】
この面光源装置２は、ＬＥＤ６からの光を導光板４の入射面５から導光板４の内部に入射させた後、この導光板４の内部を伝播する光のうち導光板４の出射面１０に対する入射角が臨界角以下になった光を導光板４の出射面１０から出射させ、その出射した光を光制御部材１１によって導光板４の出射面１０の法線方向寄りに偏向するようになっている。
【００２０】
導光板４は、ポリメタクリル酸メチル（ＰＭＭＡ）、ポリカーボネート（ＰＣ）、シクロオレフィン系樹脂材料等の光透過性に優れた材料を使用して形成してある。この導光板４は、図１乃至図３に示すように、平面形状が略矩形形状の板状体であり、ＬＥＤ６が配置される入射面５側の板厚を最も厚く形成し、入射面５から遠ざかる（Ｙ方向に向かう）にしたがって板厚を漸減する（例えば、傾斜角αで板厚を漸減する）ようになっている。
【００２１】
また、導光板４は、図１及び図２に示すように、その板厚方向に延びる光制御凸部１２が入射面５に多数形成されている。光制御凸部１２は、導光板４の出射面１０の法線方向から見た平面形状が滑らかな曲線形状に形成されており、曲率半径が小さな第１の辺１３と、この第１の辺１３よりも曲率半径が大きな第２の辺１４とからなっている。ここで、後述する光制御部材１１のプリズム状の突起１５の傾斜方向が導光板４の入射面５と直交する両側面１６，１７の一方側（１６）から他方側（１７）に向かうにしたがって入射面５から離間するようになっている（角度θで右肩上がり方向に傾斜している）場合に、光制御凸部１２の第１の辺１３が両側面１６，１７の一方側（１６）に位置し、光制御凸部１２の第２の辺１４が両側面１６，１７の他方側（１７）に位置している。なお、光制御部材１１のプリズム状の突起１５の傾斜方向が導光板４の入射面５と直交する両側面１６，１７の他方側（１７）から一方側（１６）に向かうにしたがって入射面５から離間するようになっている（左肩上がり方向に傾斜している）場合には、光制御凸部１２の第１の辺１３が両側面１６，１７の他方側（１７）に位置し、光制御凸部１２の第２の辺１４が両側面１６，１７の一方側（１６）に位置するように構成する。また、本実施の形態において、各光制御凸部１２間のピッチｐをほぼ１００μｍとし、第１の辺１３の曲率半径Ｒ１を１００μｍとし、第２の辺１４の曲率半径Ｒ２を２００μｍとすることが一例として考えられるが、これに限られるものでなく、光制御凸部１２の形状寸法は導光板４の大きさや光制御部材１１のプリズム状突起１５の入射面に対する角度θなど各種設計条件に応じて最適な寸法を適宜決定する。
【００２２】
そして、導光板４の裏面７には、入射面５に対してほぼ直交する方向に延びるプリズム状の突起（指向出射性付与手段）１８を入射面５の長手方向（Ｘ方向）に沿って平行に且つ連続して多数形成してある。このプリズム状の突起１８は、断面略三角形状を呈しており、導光板４の裏面７の入射面５からその対向する端面２０まで全域に渡り形成してある。このプリズム状の突起１８は、導光板４の入射面５に平行で且つ出射面１０に直交する仮想平面内において、ＬＥＤ６からの光を導光板４の出射面１０の法線方向寄りに偏向するようになっている。ここで、指向出射性付与手段は、出射面１０から出射する光が所望の指向性をもって出射するように、導光板４の内部を伝播する光に指向出射性を付与するものであるかぎり、上述のように、導光板４の裏面７に形成した突起１８であって、入射面５に対してほぼ直交する方向に延びるプリズム状の突起１５に限定されず、導光板４の出射面１０に形成した突起であって、入射面５に対してほぼ直交する方向に延びるプリズム状の突起や、導光板４の裏面７及び出射面１０に形成した突起であって、入射面５に対してほぼ直交する方向に延びるプリズム状の突起でもよい。また、指向出射性付与手段は、出射面１０から出射する光が所望の指向出射性を維持することができる程度に、導光板４の裏面７及び／又は出射面１０に形成した粗面であってもよい。また、指向出射性付与手段は、導光板４の裏面７及び／又は出射面１０に形成した出射促進パターンであって、出射面１０から出射する光が所望の指向出射性を維持することができる程度に形成したものでもよい。なお、出射促進パターンとしては、半球状、角錐状、円錐状等の突起又は凹みが考えられる。また、指向出射性付与手段としては、導光板４内に出射指向性を乱さない量の散乱子を含み、この散乱子によって光を内部散乱させて指向出射させる態様を含むものである。ここで、指向出射性とは、光がランダムに拡散されて導光板４から出射する状態と異なり、光が特定の出射角度方向寄りに多く出射することをいう。
【００２３】
光制御部材１１は、光透過性に優れた樹脂材料（例えば，ポリエチレンテレフタレート（ＰＥＴ）、ＰＭＭＡ、ＰＣ）でフィルム状に形成してあり、図１乃至図３に示すように、平面形状が導光板４の出射面１０とほぼ同様の矩形形状になるように形成してある。そして、この光制御部材１１は、その導光板４の出射面１０に対向する側（図１及び図３の下面側）に、導光板４の入射面５に対して傾斜角θで斜めの方向に延びるプリズム状の突起１５を、平行に且つ連続して多数形成してある。傾斜角θは、例えば液晶表示パネル３と組み合わせた時にモアレ模様が生じないような角度に適宜設定され、０°よりも大きく３０°以下となっている。この光制御部材１１のプリズム状の突起１５は、断面略三角形状に形成してあり、導光板４の入射面５に直交し且つ出射面１０に直交する仮想平面内において、導光板４の出射面１０から出射する光を導光板４の出射面１０の法線方向寄りに偏向するように機能する。ここで、光制御部材１１は、図１及び図２において、プリズム状の突起１５の傾斜方向が、導光板４の入射面５に対して右肩上がり方向の態様のものを例示したが、これに限定されるものではなく、導光板４の入射面５に対して左肩上がり方向のものを使用する態様でもよい。
【００２４】
光反射部材８は、白色の顔料を混ぜてシート状にした光反射性に優れたＰＥＴシートや、アルミニウム等の光反射性に優れた金属をシート状樹脂部材（例えば、ＰＥＴシート）の表面に蒸着したフィルム状部材であり、図１及び図３に示すように、平面形状が導光板４の裏面７とほぼ同様の矩形形状になっている。この光反射部材８は、導光板４の裏面７側から出射する光を反射して導光板４内部に戻すように機能する。なお、光反射部材８は、導光板４が収容される筐体（図示せず）の内部を光反射性に優れた表面（白色化した表面）とし、その光反射機能を備えた筐体自体を光反射部材としてもよい。また、この光反射部材８は、銀やアルミニウムの鏡面反射部材でもよい。
【００２５】
[本実施の形態による作用・効果］
図４（ａ）は、上述のように構成された面光源装置２の光制御部材１１から出射する光の状態を示す図である。なお、図４（ｂ）は、ＬＥＤ６からの出射光を模式的に示す平面図である。また、図４（ｃ）は、導光板４からの出射光を出射面１０の法線方向から観察した模式的平面図である。
【００２６】
この図４（ｂ）に示すように、ＬＥＤ６から出射された光は略扇形形状に拡がるような指向性を有しており、導光板４に入射する前の光は開き角δ１の扇形形状の光束として導光板４の入射面５に到達する。そして、このＬＥＤ６から略扇形形状に出射した光は、図４（ｃ）に示すように、導光板の入射面から導光板の内部に入射するが、導光板の入射面に形成された光制御凸部１２によって押し広げられるようにして入射する。すなわち、ＬＥＤ６から出射した光束は、導光板４に入射する前の開き角がδ１であったものが、導光板４に入射した後の開き角がδ２（δ１＜δ２）となる。
【００２７】
しかも、光制御凸部１２は、図２に示すように、図中左側（第１の辺１３）の方が曲率半径Ｒ１が小さい。そのため、図４（ｃ）に示すように、扇形形状の光束の右側端部Ｌ１が角度δ１の半値よりも入射面５寄りに傾いた状態で入射する。また、光制御凸部１２は、図２に示すように、図中右側（第２の辺１４）の方が曲率半径Ｒ２が大きいため、扇形形状の光束の左側端部Ｌ２が入射面５から離間する方向に傾いた状態で入射する。その結果、図４（ｃ）に示すように、平面形状が略扇形形状の入射光は、中心線が入射面５の法線方向に対してβだけ傾くことになる。
【００２８】
したがって、図５に示すように、そのプリズム状の突起１５が導光板４の入射面５に対してほぼ平行方向に延びる態様の光制御部材１１を使用した場合には、光制御部材１１上から観察した際のＬＥＤ６側の出射面２１において、左右のコーナー部の暗部（斜線で示す領域）２２，２３が対称形状でなく、図中左側端部のコーナー部の暗部２２が図中右側端部のコーナー部の暗部２３よりも大きくなるような状態となり、その結果として、光制御部材１１上から観察した際のＬＥＤ６側端部において、右側コーナー部近傍からの出射光の方が左側コーナー部近傍からの出射光よりも明るくなり、出射光が不均一な状態となる。
【００２９】
しかしながら、本実施の形態においては図４（ａ）に示すように、光制御部材１１のプリズム状の突起１５は、その傾斜方向が右肩上がり方向に角度θだけ傾いた状態となっているので、導光板４の出射面１０上で左側コーナー部近傍よりも右側コーナー部近傍の方が明るくなるような状態（図４（ｂ）参照）に出射する光は光制御部材１１を透過する際に、プリズム状の突起１５の作用により、その透過光が図４（ａ）における左方向に若干出射方向を偏向される。その結果、光制御部材１１上から観察した際のＬＥＤ６側の出射面２１において、各ＬＥＤ６の両側の暗部（斜線で示す領域）２２，２３は、ほぼ対称形状（ほぼ三角形状）になり、左右のコーナー部の暗部（斜線で示す領域）２２，２３もほぼ対称形状になる（図４（ａ）参照）。その結果、光制御部材１１のＬＥＤ６側端部において、右側コーナー部近傍からの出射光と左側コーナー部近傍からの出射光とがほぼ等しい明るさとなり、出射光が均一化する。
【００３０】
このような構成の本実施の形態は、上述のように、出射光の均一化を図ることができることはもちろんのこと、光制御部材１１のプリズム状の突起１５を導光板４の入射面５に対して傾斜角θだけ傾けるようになっているため、液晶表示パネル３の画像表示面にモアレ模様が生じることについても効果的に防止できる。また、本実施の形態によれば、導光板４の入射面５に形成した光制御凸部１２により、ＬＥＤ６からの光束を拡げた状態で導光板４内に入射させるため、導光板４の出射面１０のＬＥＤ６側における暗部２２，２３が小さくなり、有効発光面積（照明光として使用できる領域）が増加する。
【００３１】
なお、図６及び図７に示すように、導光板４の入射面５に形成する光制御凸部１２の形状を曲率半径Ｒの単一の円弧で形成した場合であって、光制御部材１１のプリズム状の突起１５が入射面５と平行に形成されている場合には、光制御部材１１を透過して出射する光はＬＥＤ６の両側に対称の暗部（斜線で示す領域）２２，２３を形成する。しかし、この場合には、光制御部材１１のプリズム状の突起１５が入射面５と平行に形成されるため、液晶表示パネル３のモアレ模様の発生を効果的に防止することができないという問題が残る。
【００３２】
また逆に、図６及び図８に示すように、導光板４の入射面５に形成する光制御凸部１２の形状を曲率半径Ｒの単一の円弧で形成した場合であって、光制御部材１１のプリズム状の突起１５が入射面５に対して傾けて形成されている場合には、液晶表示パネル３のモアレ模様の発生を効果的に防止することができるものの、光制御部材１１を透過して出射する光はＬＥＤ６の両側に非対称の暗部（斜線で示す領域）２２，２３を形成することになり、その結果、光制御部材１１のＬＥＤ６側において、左右のコーナー部近傍の暗部２２，２３の大きさが異なることになり、左右のコーナー部近傍の明るさに差を生じ、出射光の均一化を図れなくなるという問題が生じる。
【００３３】
［本実施の形態の変形例］
（第１変形例）
図９は、本実施の形態の第１変形例を示す図であり、図２に対応する図である。
【００３４】
図９（ｂ）に示す光制御凸部は、導光板４の出射面１０の法線方向から見た場合、曲率半径Ｒ１の小さな第１の辺２５と、第１の辺２５よりも曲率半径Ｒ２の大きな第２の辺２６とからなっている。図２（ｂ）に示す光制御凸部１２が有する第１の辺１３及び第２の辺１４の曲率中心が、入光面５を基準にして、ＬＥＤ６が配置される側とは反対側であるのに対して、図９（ｂ）に示す光制御凸部が有する２つの曲線の曲率中心は、ＬＥＤ６が配置される側となっている。したがって、第１の辺２５と第２の辺２６とからなる光制御凸部が、図９（ｂ）のように繰り返し連続して形成された場合には、光制御凹部２４が形成される。以下、第１変形例を、光制御凹部２４として説明する。この光制御凹部２４は、導光板４の入射面５の板厚方向に延びる溝であり、第１の辺２５と第２の辺２６を滑らかに接続する凹曲面形状を呈している。
【００３５】
この光制御凹部２４は、図９（ａ）に示すように、光制御部材１１のプリズム状の突起１５が導光板４の入射面５に対して右肩上がり方向に傾斜角θだけ傾いている場合、図９（ｂ）に示すように、第１の辺２５が右側に位置し、第２の辺２６が左側に位置するようになっている。
【００３６】
このように構成することにより、上述の実施の形態と同様の効果を得ることができる。なお、光制御部材１１の突起１５が導光板４の入射面５に対して左肩上がり方向に傾斜角θだけ傾いている場合、第１の辺２５が左側に位置し、第２の辺２６が右側に位置するように構成される。
【００３７】
（第２変形例）
図１０は、上述の実施形態の第２変形例を示す図であり、導光板４の入射面５側の一部を出射面１０の法線方向から見た拡大平面図である。
【００３８】
この図に示すように、本変形例は、光制御凸部１２をＬＥＤ６に対向する入射面５の所定領域Ｗに限って複数形成し、光制御凸部１２が形成されていない入射面５を平滑面にしている。このような構成の本変形例によっても、ＬＥＤ６と導光板４との距離が近接している場合には、上述の図２に示す実施の形態と同様の効果が期待される。
【００３９】
（第３変形例）
図１１は、上述の第１変形例を更に変形したものであり、第２変形例と同様に、導光板４の入射面５側の一部を出射面１０の法線方向から見た拡大平面図である。
この図に示すように、本変形例は、光制御凹部２４をＬＥＤ６に対向する入射面５の所定領域Ｗに限って複数形成し、光制御凹部２４が形成されていない入射面５を平滑面にしている。このような構成の本変形例によっても、ＬＥＤ６と導光板４との距離が近接している場合には、上述の図２に示す実施の形態と同様の効果が期待される。
【００４０】
（第４変形例）
図１２は、上述の実施形態の第４変形例を示す図であり、導光板４の入射面５の一部を出射面１０の法線方向から見た拡大平面図である。
【００４１】
この図に示すように、本変形例は、光制御凸部１２とＬＥＤ６とを一対一で対向させるように構成したものである。このようにしても、導光板４の内部に入射するＬＥＤ６からの光束の進行方向を光制御凸部１２で偏向することができ、上述の実施形態と同様の効果を得ることが可能である。
【００４２】
（第５変形例）
図１３は、上述の実施形態の第５変形例を示す図であり、導光板４の入射面５の一部を出射面１０の法線方向から見た拡大平面図である。
【００４３】
この図に示すように、本変形例は、光制御凹部２４とＬＥＤ６とを一対一で対向させるように構成したものである。このようにしても、導光板４の内部に入射するＬＥＤ６からの光束の進行方向を光制御凹部２４で偏向することができ、上述の実施形態と同様の効果を得ることが可能である。
【００４４】
なお、上述の実施形態及び各変形例において、第１の辺１３，２５と第２の辺１４，２６とを直接接続する構成に代え、第１の辺１３，２５と第２の辺１４，２６とを図示しない第３の辺で滑らかに接続するようにしてもよい。また、第１の辺と第２の辺をともに直線で形成してもよいし、どちらか一方を直線で形成で形成し、他方を曲線で形成してもよい。
【産業上の利用可能性】
【００４５】
本発明の面光源装置は、被照明部材として液晶表示パネルを使用する画像表示装置のみならず、室内照明装置や広告プレートの面状光源として広く使用することが可能である。
【図面の簡単な説明】
【００４６】
【図１】（ａ）は本発明を適用した最良の実施形態に係る面光源装置及びこれを備えた表示装置の分解斜視図であり、（ｂ）は（ａ）のＡ部を拡大して示す図であり、（ｃ）は（ａ）のＢ部を拡大して示す図であり、（ｄ）は（ａ）のＣ部を拡大して示す図である。
【図２】（ａ）は本発明を適用した最良の実施形態の面光源装置の平面図であり、（ｂ）は（ａ）のＥ部を拡大して示す図である。
【図３】（ａ）は図２のＤ１−Ｄ１線に沿って切断して示す断面図であり、（ｂ）は（ａ）のＦ部を拡大して示す図である。
【図４】（ａ）は面光源装置の出射光に生じる暗部を模式的に示す平面図であり、（ｂ）はＬＥＤから出射する光束を示す平面図であり、（ｃ）は導光板の出射光に生じる暗部を模式的に示す平面図である。
【図５】図４（ａ）の面光源装置に使用される光制御部材と異なる光制御部材（プリズム状の突起が導光板の入射面と平行の光制御部材）を使用した場合に生じる暗部を示す模式的平面図である。
【図６】（ａ）は本発明の比較例である面光源装置の平面図であり、（ｂ）は（ａ）のＧ部を拡大して示す図である。
【図７】図６（ａ）の面光源装置において、光制御部材のプリズム状の突起が導光板の入射面と平行である場合の暗部発生状態を示す模式的平面図である。
【図８】図６（ａ）の面光源装置において、光制御部材のプリズム状の突起が導光板の入射面に対して傾斜角θだけ傾いている場合の暗部発生状態を示す模式的平面図である。
【図９】（ａ）は本発明の第１変形例を示す面光源装置の平面図であり、（ｂ）は（ａ）のＨ部を拡大して示す図である。
【図１０】本発明の第２変形例に係る導光板の入射面側を部分的に拡大して示す平面図である。
【図１１】本発明の第３変形例に係る導光板の入射面側を部分的に拡大して示す平面図である。
【図１２】本発明の第４変形例に係る導光板の入射面側を部分的に示す平面図である。
【図１３】本発明の第５変形例に係る導光板の入射面側を部分的に示す平面図である。
【図１４】第１従来例を示す面光源装置（表示装置）の分解斜視図である。
【図１５】第２従来例を示す面光源装置（表示装置）の分解斜視図である。
【図１６】（ａ）は第３従来例を示す面光源装置の分解斜視図であり、（ｂ）は（ａ）のＱ部を拡大して示す図である。
【符号の説明】
【００４７】
１……表示装置、２……面光源装置、３……液晶表示パネル（被照明部材）、４……導光板、５……入射面（側面）、６……ＬＥＤ（光源）、１０……出射面、１１……光制御部材、１２……光制御突起、１３……第１の辺、１４……第２の辺、１５……突起、１６，１７……側面、１８……突起（指向出射性付与手段）、２４……光制御凹部、２５……第１の辺、２６……第２の辺
【図１】
2006156279.tif 000003
【図２】
2006156279.tif 000004
【図３】
2006156279.tif 000005
【図４】
2006156279.tif 000006
【図５】
2006156279.tif 000007
【図６】
2006156279.tif 000008
【図７】
2006156279.tif 000009
【図８】
2006156279.tif 000010
【図９】
2006156279.tif 000011
【図１０】
2006156279.tif 000012
【図１１】
2006156279.tif 000013
【図１２】
2006156279.tif 000014
【図１３】
2006156279.tif 000015
【図１４】
2006156279.tif 000016
【図１５】
2006156279.tif 000017
【図１６】
2006156279.tif 000018